(57)【要約】【課題】電線保持力が高く、電線被覆が傷付き難い電線引留具を提供する。【解決手段】胴体部１の一端に止金具が係止され、該胴体部の両側対称位置に適宜間隔を離して軸部７ａ，７ｂ，８ａ，８ｂ，９ａ，９ｂを突設し、引込電線１１ａ，１１ｂを略Ｓ字状に屈曲させて該各軸部の間に通すことにより引き留める電線引留具であって、該各軸部外周の電線巻着面７ｓ，８ｓ，９ｓを該各軸部と直交する面内にて円弧面状なるように形成するとともに、該円弧面の曲率半径７ｒ，８ｒ，９ｒを前記止金具６に近いものほど次第に小径となるように設定した。【選択図】図５
2014060880.tif 000002
【特許請求の範囲】
【請求項１】
胴体部の一端に止金具が係止され、該胴体部の両側対称位置に適宜間隔を離して軸部を少なくとも３本ずつ突設し、引込電線を略Ｓ字状に屈曲させて該各軸部の間に通すことにより引き留める電線引留具であって、該各軸部外周の電線巻着面を該各軸部と直交する面内にて円弧面状なるように形成するとともに、該円弧面の曲率半径を前記止金具に近いものほど次第に小径となるように設定したことを特徴とする電線引留具。
【発明の詳細な説明】
【技術分野】
【０００１】
本発明は、電柱等から家屋にわたって張設される引込電線（ＤＶ線とも称されるビニル被覆電線）の一端を引き留めるための電線引留具の構造に関するものである。
【背景技術】
【０００２】
一般に引込電線には、許容電力に従い種々の太さのものが使用されるが、表１に一般的に使用されている引込電線の外径（１本の導線の絶縁被覆を含む外径）およびその導線の太さを例示する。
【０００３】
【表１】
2014060880.tif 000003
【０００４】
これらの引込電線は、導線が銅の単線または撚線からなり、作業者が手で屈折し得る程度の可撓性を有すると同時に、適度な剛性がある。このため、その性質を利用し、下記特許文献１〜７に示されたような電線引留具によって家屋の外壁面や電柱等に引き留められる。
【０００５】
下記特許文献１〜７に示された電線引留具は、一端に止金具が係合される胴体部の両側対称位置に長手方向に適宜間隔を離して軸部が３本ずつ突設され、該各軸部の先端に鍔部が一体に形成され、該止金具を家屋の外壁面等に止着するとともに、引込電線を屈折させて該軸部の外周に巻着することにより、該引込電線を電柱等から家屋にわたって張設するものである。
【先行技術文献】
【特許文献】
【０００６】
【特許文献１】特開平５−１５３７１６号公報
【特許文献２】特開平７−２９８４６４号公報
【特許文献３】特開平９−３０８０６６号公報
【特許文献４】特開平９−２２４３２０号公報
【特許文献５】特開２００４−２３８８２号公報
【特許文献６】特開２００７−６５６９号公報
【特許文献７】特開２００７−２８８０１号公報
【０００７】
なお、上記特許文献１〜５は、胴体部の端部に形成された螺子軸にナットが螺合され、該ナットを締め付けることで電線を強く保持できるようにしたものであり、特許文献２は、電線を外方にも屈曲させることにより電線保持力を強化したものであり、特許文献６は、電線を引留具に対し往復巻することにより電線保持力を強化したものであり、特許文献７は、電線を引留具に形成されたフックにも巻掛することにより電線保持力を強化したものである。また、特許文献３は、電線を引留具に形成されたＶ形溝に係留することにより外径の異なる電線でも引き留められるものであり、特許文献４は、電線の外径に応じて巻き方を変えることにより外径の異なる電線でも引き留められるようにしたものである。
【０００８】
なお、ここで電線保持力とは、電線の自重、工事による張力、および強風による振動や風圧が加わっても電線が引留具からズレたり、抜け落ちたりせず、また、引留具に接する電線被覆が破れたりしない状態を維持し得る最大荷重のことをいう。
【発明の概要】
【発明が解決しようとする課題】
【０００９】
ところで、上記特許文献１〜５に示されたように、引留具に電線を引き留めるための３本の軸部が形成されたものでは、電線を引っ張った際に該各軸部に掛かる荷重の割合が、３本の軸部のうち該引留具の最前に位置する軸部（止金具から最も遠い軸部）への割合が最も大きく、次いでその後側の軸部に掛かる割合が大きく、最も後に位置する軸部（止金具に近い軸部）に掛かる割合が最も小さいといえる。しかしながら従来の引留具はこのような引張荷重の負荷割合が考慮されていないため、電線が風等により強く引っ張られると、該電線のビニル被覆が引留具の最前に位置する軸部との接触部分にて破れたり、或いはその後ろの軸部との接触部分で破れ、絶縁性が損なわれることが多々あった。また、特許文献１〜５のように電線をナット締めする構造のものでは、引張荷重がナット締部分に集中し、ナット締部分にて電線被覆が破れるおそれがあった。
【００１０】
また、従来の引留具は、剛性が少ない比較的細い電線を係留した場合に十分な保持力が得られず、該電線が滑り抜けてしまうおそれがあった。このため、従来では表１に示したような太さの異なる引込電線に対し適合し得る引留具を個々に製作し、準備しなければならなかった。即ち、保持力が十分でなくなるため各太さについて引留具を共用することができなかった。このため多種の引留具を製造しなければならず、製造コスト、管理コスト等が高くなると共に、使用上も不便であった。
【００１１】
なお、特許文献３に示されたようなＶ形溝に電線を係留する構造では、電線が強く引っ張られるとそのＶ形溝中に電線が食い込むことからスベリを抑止する効果はあるが、柔らかいビニル被覆が破れる場合が多かった。また、特許文献４に示されたように、電線の外径に応じて巻き方を変えるものは、引込工事が複雑化し作業性が損なわれるおそれがある。
本発明はこのような問題点を解決し得る電線引留具を提供しようとするものである。
【課題を解決するための手段】
【００１２】
そのために本発明は、胴体部の一端に止金具が係止され、該胴体部の両側対称位置に適宜間隔を離して軸部を少なくとも３本ずつ突設し、引込電線を略Ｓ字状に屈曲させて該各軸部の間に通すことにより引き留める電線引留具であって、該各軸部外周の電線巻着面を該各軸部と直交する面内にて円弧面状なるように形成するとともに、該円弧面の曲率半径を前記止金具に近いものほど次第に小径となるように設定したことを特徴とする。
【発明の効果】
【００１３】
本発明に係る電線引留具によれば、太さが異なる電線を係留させても十分な電線保持力が得られるとともに、電線が強く引っ張られた際に各軸部に平均的に引張荷重が分担されるようになる。このため、電線被覆が傷付き難い。また、電線引込工事が複雑化することもなく、作業性を向上させる。
【図面の簡単な説明】
【００１４】
【図１】本発明に係る電線引留具の後方からの斜視図。
【図２】本発明に係る電線引留具の平面図。
【図３】本発明に係る電線引留具の正面図。
【図４】図２のＡ−Ａ線断面拡大図。
【図５】本発明に係る電線引留具の使用状態を示す側面図。
【図６】本発明に係る電線引留具の使用状態を示す斜視図。
【発明を実施するための最良の形態】
【００１５】
図１〜図４に示すように、この電線引留具は、合成樹脂製の略直方形の胴体部１の一端（後端）に円柱状部２が一体に形成され、該円柱状部２の外周にネジ溝３が形成され該ネジ溝３に合成樹脂製ナット４が螺合されているとともに、該円柱状部２に貫通孔５が形成され、該貫通孔に長円環状の止金具６が挿通係止される。また、該胴体部１の他端（前端）の両側対称位置に軸部７ａ，７ｂを突設し、該軸部７ａ，７ｂよりも止金具６に近い位置で該胴体部１の長手方向に適宜間隔を離して該胴体部１の両側対称位置に軸部８ａ，８ｂを突設し、該軸部８ａ，８ｂよりも止金具６にさらに近い位置で該胴体部１の長手方向に適宜間隔を離して該胴体部１の両側対称位置に軸部９ａ，９ｂを突設している。なお、該各軸部の先端には半径方向に張り出す鍔部１０が一体に形成される。
【００１６】
この電線引留具では、図４に断面拡大図を示し、図５に使用状態を示したように、軸部７ａ，７ｂの上面から後側面に亘る部位が電線巻着面７ｓとなり、軸部８ａ，８ｂについては前側面から下面を経て後側面に亘る部位が電線巻着面８ｓとなり、軸部９ａ，９ｂについては前側面から上面を経て後側面に亘る部位が電線巻着面９ｓとなる。そして、最も前側に位置する（止金具６から最も遠い）軸部７ａ，７ｂ外周の電線巻着面７ｓは曲率半径７ｒ＝２４ｍｍの円弧面状に形成され、軸部８ａ，８ｂ外周の電線巻着面８ｓは曲率半径８ｒ＝８ｍｍの円弧面状に形成され、最も後側に位置する（止金具６に最も近い）軸部９ａ，９ｂ外周の電線巻着面９ｓは曲率半径９ｒ＝４ｍｍの円弧面状に形成される。このように該各曲率半径７ｒ，８ｒ，９ｒは、前記止金具６に近いものほど次第に小径にし、止金具６から遠いものほど次第に大径に設定する。即ち、７ｒ＞８ｒ＞９ｒに設定する。
【００１７】
なお、軸部７ａ，７ｂに電線が横ズレすることなく安定的に巻着されるように、電線巻着面７ｓは、図３に示したように、軸部７ａ，７ｂと平行な面内にては円弧面状に窪む溝形状に形成され、その円弧面の曲率半径Ｒは該電線引留具を使用しようとする引込電線のうち最も太径の電線の最外径と略々一致する値（表１では、最も太径の電線の最外径が９．２ｍｍであるので、曲率半径Ｒ＝４．６ｍｍ）に設定される。また、軸部８ａ，８ｂの電線巻着面８ｓおよび軸部９ａ，９ｂの電線巻着面９ｓについても、電線が安定的に巻着されるように、電線巻着面７ｓと同様に、該各軸部と平行な面内にて曲率半径Ｒ＝４．６ｍｍの円弧面状の溝形状に形成される。
【００１８】
このように構成した電線引留具では、図５、図６に示したように、引込電線１１ａ，１１ｂを略Ｓ字状に屈曲させて、軸部７ａ，７ｂと軸部８ａ，８ｂの間、および軸部８ａ，８ｂと軸部９ａ，９ｂの間に通し、電線巻着面７ｓ〜９ｓに該引込電線１１ａ，１１ｂを接触させるとともに、前記ナット４を螺締し該引込電線１１ａ，１１ｂをさらに軸部９ａ，９ｂに対して挟着し、止金具６を家屋の外壁面等に止着する。これにより、該引込電線１１ａ，１１ｂを電柱等から家屋にわたって張設し得る。
【００１９】
こうして張設した引込電線１１ａ，１１ｂは強風等により引っ張られた際に、その引張荷重が先ず該引込電線１１ａ，１１ｂ表面のビニル被覆と電線巻着面７ｓとの摩擦によって負荷され、次いで軸部８ａ，８ｂの電線巻着面８ｓとの摩擦によって負荷され、その次に電線巻着面９ｓとの摩擦によって負荷される。このため、引込電線１１ａ，１１ｂが強く引っ張られ電線巻着面７ｓ上で該引込電線１１ａ，１１ｂが電線巻着面へ密着する過程で多少滑った（ズレた）としても該電線巻着面７ｓの曲率半径７ｒは他と比較して大きいので、電線に局所的に荷重が集中することなく電線被覆が傷付くおそれは少ない。次いで電線巻着面８ｓに対しては引張荷重が軽減されて掛かるので、該電線巻着面８ｓの曲率半径８ｒが曲率半径７ｒより小さくても電線被覆を傷付けるおそれは少なく該電線がしっかり保持される。さらに、電線巻着面９ｓには引張荷重がさらに軽減されて掛かるので、曲率半径９ｒが曲率半径８ｒよりさらに小さいものであっても電線被覆が傷付くおそれは少なく該電線巻着面９ｓによっても電線をしっかり保持することができる。このように、曲率半径８ｒは曲率半径７ｒよりも小さく、曲率半径９ｒは曲率半径８ｒよりもさらに小さいことから、軸部８ａ，８ｂや軸部９ａ，９ｂにては引込電線１１ａ，１１ｂがより滑り難く、確実に保持される。即ち、各曲率半径７ｒ，８ｒ，９ｒを、止金具６に近いほど小さく、遠いほど大きくなるように設定することにより、引込電線１１ａ，１１ｂを強力に保持することができると共に、電線被覆を傷付き難くすることができる。
【００２０】
ちなみに、表１に示した各電線について電線保持力（掌握力）をテストしたところ、外径５．６ｍｍの電線で２．１６ｋＮ以上の保持力が得られた。また、外径７．６ｍｍの電線では３．９２ｋＮ以上の保持力、外径９．２ｍｍの電線で２．７５ｋＮ以上の保持力が得られ、いずれもユーザーが要求する基準を満たすことができた。
ここで、外径９．２ｍｍの電線の方が外径７．６ｍｍの電線の方が保持力が小さいのは、外径５．６ｍｍおよび外径７．６ｍｍの電線は硬銅線を導線としているのに対し、外径９．２ｍｍの電線は軟銅線を導線としているためである。
なお、この実施形態に示した電線引留具では、ナット４を螺締し軸部９ａ，９ｂに巻着した後部にて該引込電線１１ａ，１１ｂを適度に挟着することにより、電線保持力をさらに高めることができる。
【００２１】
このように本発明に係る電線引留具によれば、太さが異なる電線であっても十分な電線保持力をもって引き留めることができる。このため多種の電線引留具を用意しなくてもよくなり、汎用性が増し、電線引込工事の作業性を向上させると共に、製造コストや商品管理コスト等が軽減される。また、引張荷重が各軸部に平均的に負荷されるので、引込電線が自重や張力および強風等による振動や風圧により強く引っ張られても、電線被覆が破れる事がなく、長期に亘り絶縁性が保持され、耐久性を向上させる。
【符号の説明】
【００２２】
１                  胴体部
２                  円柱状部
３                  ネジ溝
４                  ナット
５                  貫通孔
６                  止金具
７ａ，７ｂ          軸部
８ａ，８ｂ          軸部
９ａ，９ｂ          軸部
７ｓ，８ｓ，９ｓ    電線巻着面
７ｒ，８ｒ，９ｒ    曲率半径
１０                鍔部
１１ａ，１１ｂ      引込電線
【図１】
2014060880.tif 000004
【図２】
2014060880.tif 000005
【図３】
2014060880.tif 000006
【図４】
2014060880.tif 000007
【図５】
2014060880.tif 000008
【図６】
2014060880.tif 000009